(57)【要約】【課題】扉の厚さに関わらず、コネクタの接続を容易且つ適切に行い、扉の壁面に対してカバーを適切に取り付け得るカバー取付構造を提供する。【解決手段】  本発明のカバー取付構造は、扉２の内部に設けられる電気錠３に備えられる相手側コネクタ１６に対し、室内側壁面２ｃ側から電気的に接続される室内側コネクタ４２と、室内側コネクタ４２を支持するように構成されるコネクタベース３７と、コネクタベース３７を覆うように設けられるベースカバー３６と、ベースカバー３６をコネクタベース３７に支持させるようにベースカバー３６に設けられる係合部材３８と、を備え、係合部材３８は、コネクタベース３７に係止されて室内側壁面２ｃに対する離接方向への移動を規制される係止位置Ｐ１と、コネクタベース３７に対する係止が解除されて離接方向に移動可能となる非係止位置Ｐ２と、の間で変位可能に設けられている。【選択図】図５
2015121038.tif 000002
【特許請求の範囲】
【請求項１】
扉の内部または前記扉の一方の壁面に設けられる電装部材に備えられる相手側コネクタに対し、他方の壁面側から電気的に接続されるコネクタと、
前記コネクタを支持するように構成されるコネクタベースと、
前記コネクタベースを覆うように設けられるカバーと、
前記カバーを前記コネクタベースに支持させるように前記カバーに設けられる係合部材と、を備え、
前記係合部材は、前記コネクタベースに係止されて前記他方の壁面に対する離接方向への移動を規制される係止位置と、前記コネクタベースに対する係止が解除されて離接方向に移動可能となる非係止位置と、の間で変位可能に設けられていることを特徴とするカバー取付構造。
【請求項２】
前記コネクタベースに対する前記カバーの離接方向への移動を案内するガイド手段を更に備えていることを特徴とする請求項１に記載のカバー取付構造。
【請求項３】
前記係合部材を離接方向に直交する方向に付勢するように前記コネクタベースに設けられる付勢部材を更に備え、
前記コネクタベースは、
前記他方の壁面に対し直交する側面に開口する開口部と、
前記開口部から離接方向に延び、前記開口部よりも狭く形成される溝部と、を有し、
前記係合部材は、
前記付勢部材に付勢されて前記係止位置に変位した場合に、前記開口部に嵌合して係止される嵌合部と、
前記付勢部材の付勢力に抗して前記非係止位置に変位した場合に、前記開口部から前記溝部に進入可能に形成される移動ピンと、を有し、
前記嵌合部は、前記係止位置と前記非係止位置との間の押圧位置に変位可能に設けられ、前記付勢部材に付勢されて前記押圧位置に変位したときに、前記溝部の縁部に押し付けられ、離接方向への移動を規制されることを特徴とする請求項１または２に記載のカバー取付構造。
【請求項４】
前記係合部材は、前記カバーの両側面に一対設けられ、外側から内側に向けて押圧操作される操作部と前記嵌合部との間に前記移動ピンを配置して形成され、
前記付勢部材は、前記一対の係合部材の前記嵌合部に当接するように前記コネクタベースに内設される単一の板バネであることを特徴とする請求項３に記載のカバー取付構造。
【請求項５】
前記嵌合部が前記開口部に嵌合した状態で、前記カバーが前記他方の壁面に接触する前に、前記コネクタが前記相手側コネクタに接続可能であることを特徴とする請求項３または４に記載のカバー取付構造。
【請求項６】
前記他方の壁面から前記一方の壁面に向けて延び、前記扉の内部または前記一方の壁面に設けられる接続対象に接続される回転軸を更に備え、
前記コネクタは、前記回転軸と前記接続対象との接続に伴って、離接方向に移動して前記相手側コネクタに嵌合することを特徴とする請求項１ないし５のいずれかに記載のカバー取付構造。
【発明の詳細な説明】
【技術分野】
【０００１】
本発明は、扉の壁面に対するカバー取付構造に関する。
【背景技術】
【０００２】
近年、建物の扉には、電気錠やリーダ等の電装部品が取り付けられている。ユーザは、リーダにＩＣカード等をかざして電気錠の施解錠を行う。これらの電装部品は、一般的に、台座等のカバーに内設された状態で扉の壁面に固定されている。
【０００３】
例えば、特許文献１には、扉に内設された電気錠と、扉の屋内面に固定された長尺の台座と、を備えた電気錠の台座構造が開示されている。台座には、電池を保持する電池収容部が内設されている。電気錠から延びる電源線は、屋内面に開口した電源線貫通穴から扉の外側に引き出される。台座は、電源線貫通穴を覆うように屋内面に固定される。電源線は、台座の内部に引き込まれ、電源線の端末に固定された錠箱側コネクタは、電池に導通する電源側コネクタに接続される。これにより、電気錠に電池からの電力が供給される。台座に引き込まれた電源線の余剰部分および錠箱側コネクタは、台座の内部に設けられたコネクタ収納部に収納される。
【先行技術文献】
【特許文献】
【０００４】
【特許文献１】特開２０１２−０８７４９５号公報
【発明の概要】
【発明が解決しようとする課題】
【０００５】
しかしながら、上記した特許文献１に係る技術は、余剰の電源線や錠箱側コネクタを収納するスペースを必要とするため、台座をコンパクトに形成することができなかった。また、電線を扉から引き出した後に台座を取り付けるため、台座と屋内面との間に挟み込まれた電源線が断線する虞もあった。さらに、電源線の引き込み作業やコネクタの接続作業は、台座内の狭いスペースで行う必要が有るため、作業者にとって作業し易いとは言えなかった。
【０００６】
以上のような問題の対応として、電源線を省略し、扉内の電気錠の制御基板に実装した錠箱側コネクタを電源線貫通穴に配置することが考えられる。これにより、台座をコンパクトに形成可能であると共に、互いのコネクタの接続時において電源線の断線の心配をなくすことができる。しかしながら、台座を室内面に取り付けながら、台座内の電池収容部の電源側コネクタを、電源線貫通穴に表出する錠箱側コネクタに接続する作業は容易ではない。台座が電源線貫通穴を覆うため、作業者は、接続時に各コネクタの位置を目視できないためである。仮に、台座から室内面側に電源側コネクタを大きく突出させた場合、接続作業は容易になるが、コネクタを接続した状態では、台座と室内面との間に隙間が生じることとなる。
【０００７】
また、扉の厚さに応じて、扉内での電気錠の位置も異なるため、錠箱側コネクタの位置も異なる。例えば、扉が薄い場合、錠箱側コネクタは室内面寄りに位置するため、コネクタを接続した状態では、台座と室内面との間に隙間が生じる虞があった。また、例えば、扉が厚い場合、錠箱側コネクタは室内面から外側に離れるため、電源側コネクタを錠箱側コネクタに適切に接続できず、接触不良を起こす虞があった。
【０００８】
本発明は、扉の厚さに関わらず、コネクタの接続を容易且つ適切に行い、扉の壁面に対してカバーを適切に取り付け得るカバー取付構造を提供することを目的とする。
【課題を解決するための手段】
【０００９】
上記した目的を達成するため、本発明のカバー取付構造は、扉の内部または前記扉の一方の壁面に設けられる電装部材に備えられる相手側コネクタに対し、他方の壁面側から電気的に接続されるコネクタと、前記コネクタを支持するように構成されるコネクタベースと、前記コネクタベースを覆うように設けられるカバーと、前記カバーを前記コネクタベースに支持させるように前記カバーに設けられる係合部材と、を備え、前記係合部材は、前記コネクタベースに係止されて前記他方の壁面に対する離接方向への移動を規制される係止位置と、前記コネクタベースに対する係止が解除されて離接方向に移動可能となる非係止位置と、の間で変位可能に設けられていることを特徴とする。
【００１０】
この構成によれば、カバーは、係合部材を介してコネクタベースに支持されている。また、カバーは、係合部材を非係止位置に移動させることで、コネクタベースに対して離接方向に移動可能となる。例えば、コネクタベースに対してカバーを他方の壁面から退避させることで、作業者は、コネクタおよび相手側コネクタの位置を目視しながら接続作業を行うことができる。これにより、コネクタの接続作業を容易且つ適切に行うことができる。また、例えば、当該接続作業の後に、カバーを他方の壁面に当接するように移動させることで、カバーと壁面との間において隙間の発生を防止することができる。これにより、扉の厚さに関わらず、扉の壁面に対してカバーを適切な位置に設けることができる。
【００１１】
この場合、前記コネクタベースに対する前記カバーの離接方向への移動を案内するガイド手段を更に備えていることが好ましい。
【００１２】
この構成によれば、カバーは、ガイド手段に案内されながら、離接方向に移動可能となる。これにより、作業者は、安定した状態で、カバーの移動作業を円滑に行うことができる。
【００１３】
この場合、前記係合部材を離接方向に直交する方向に付勢するように前記コネクタベースに設けられる付勢部材を更に備え、前記コネクタベースは、前記他方の壁面に対し直交する側面に開口する開口部と、前記開口部から離接方向に延び、前記開口部よりも狭く形成される溝部と、を有し、前記係合部材は、前記付勢部材に付勢されて前記係止位置に変位した場合に、前記開口部に嵌合して係止される嵌合部と、前記付勢部材の付勢力に抗して前記非係止位置に変位した場合に、前記開口部から前記溝部に進入可能に形成される移動ピンと、を有し、前記嵌合部は、前記係止位置と前記非係止位置との間の押圧位置に変位可能に設けられ、前記付勢部材に付勢されて前記押圧位置に変位したときに、前記溝部の縁部に押し付けられ、離接方向への移動を規制されることが好ましい。
【００１４】
この構成によれば、係合部材の嵌合部は、押圧位置に移動した状態で溝部の縁部に押し付けられる。このため、係合部材を溝部の任意の位置に維持することができる。これにより、コネクタベースに対してカバーを離接方向で任意の位置に保持することができ、扉の壁面とカバーとの間に隙間が生じないようにカバーの位置を調整することができる。
【００１５】
この場合、前記係合部材は、前記カバーの両側面に一対設けられ、外側から内側に向けて押圧操作される操作部と前記嵌合部との間に前記移動ピンを配置して形成され、前記付勢部材は、前記一対の係合部材の前記嵌合部に当接するように前記コネクタベースに内設される単一の板バネであることが好ましい。
【００１６】
この構成によれば、作業者は、カバーを把持すると同時に一対の係合部材を押圧操作することができる。これにより、作業者は、離接方向におけるカバーの位置調整を直感的に行うことができる。また、単一の板バネによって一対の係合部材を付勢するため、係合部材ごとにバネを設ける場合に比して、簡素な構成にすることができる。
【００１７】
この場合、前記嵌合部が前記開口部に嵌合した状態で、前記カバーが前記他方の壁面に接触する前に、前記コネクタが前記相手側コネクタに接続可能であることが好ましい。
【００１８】
この構成によれば、嵌合部が開口部に嵌合して係止されているため、コネクタに対するカバーの離接方向の位置が強固に保持されている。このため、作業者は、カバーを把持し、相互のコネクタの位置を目視しつつ接続作業を安定して行うことができる。
【００１９】
この場合、前記他方の壁面から前記一方の壁面に向けて延び、前記扉の内部または前記一方の壁面に設けられる接続対象に接続される回転軸を更に備え、前記コネクタは、前記回転軸と前記接続対象との接続に伴って、離接方向に移動して前記相手側コネクタに嵌合することが好ましい。
【００２０】
この構成によれば、接続対象に対する回転軸の接続方向と、両コネクタ間の接続方向（嵌合方向）とが一致しているため、両接続作業を、一連の動作で容易に行うことができる。また、例えば、回転軸をコネクタよりも他方の壁面側に突出させる場合、接続対象に対する回転軸の接続にガイドされて、コネクタの接続が行われる。これにより、更に簡単且つ迅速にコネクタの接続作業を行うことができる。
【発明の効果】
【００２１】
本発明のカバー取付構造によれば、扉の厚さに関わらず、コネクタの接続を容易且つ適切に行うことができ、扉の壁面に対してカバーを適切な位置に設けることができる。
【図面の簡単な説明】
【００２２】
【図１】本発明の第１実施形態に係るカバー取付構造を備える電気錠システムを示す側面図である。
【図２】本発明の第１実施形態に係るカバー取付構造等を示す背面図である。
【図３】本発明の第１実施形態に係るカバー取付構造等を示す正面図である。
【図４】本発明の第１実施形態に係るカバー取付構造の係合部材の変位を説明する斜視図であって、（Ａ）は係止位置に変位した状態を示し、（Ｂ）は非係止位置に変位した状態を示している。
【図５】本発明の第１実施形態に係るカバー取付構造の係合部材の変位を説明する模式的な断面図であって、（Ａ）は係止位置に変位した状態を示し、（Ｂ）は非係止位置に変位した状態を示し、（Ｃ）は押圧位置に変位した状態を示している。
【図６】本発明の第１実施形態の変形例に係るカバー取付構造を備える電気錠システムを示す斜視図である。
【図７】本発明の第２実施形態に係るカバー取付構造の係合部材を模式的に示す断面図である。
【図８】本発明の第３実施形態に係るカバー取付構造のガイド手段であって、（Ａ）はガイド軸およびガイド凹部を示す断面図であり、（Ｂ）はガイド穴部を示す断面図である。
【図９】本発明の第３実施形態に係るカバー取付構造のガイド溝および突起を示す断面図である。
【発明を実施するための形態】
【００２３】
以下、本発明の実施の形態について、添付した図面を参照しながら説明する。
【００２４】
（第１実施形態）
図１ないし図３を参照して、第１実施形態に係るカバー取付構造７を備える電気錠システム１について説明する。ここで、図１はカバー取付構造７を備える電気錠システム１を示す側面図である。図２および図３はカバー取付構造７等を示す背面図および正面図である。なお、説明の便宜のため、図１において、室外側である右側を正面（前）とし、室内側である左側を背面（後）と規定する。
【００２５】
図１に示すように、電気錠システム１は、扉２の木口２ａに対してデッドボルト１３を進退させることによって施解錠される電気錠３と、扉２の室外側壁面２ｂに固定される室外側ユニット４と、扉２の室内側壁面２ｃに固定される室内側ユニット５と、を備えている。
【００２６】
電気錠３は、木口２ａから扉２の内部に挿入され、取付板１０を介して木口２ａに取り付けられる錠箱１１と、錠箱１１内に回動可能に支持されるデッドカム１２と、デッドカム１２の回動によって扉２の木口２ａから進退されるデッドボルト１３と、デッドボルト１３を進退させるモータやソレノイド等の駆動手段（図示せず）と、駆動手段を制御する錠側回路基板１４と、を有している。
【００２７】
電装部材としての電気錠３は、室外側ユニット４と室内側ユニット５との間に挟まれるように扉２に内設されている。扉２には、厚み方向に貫通する接続穴（図示せず）が、両壁面２ｂ，２ｃに開口している。デッドカム１２は、錠箱１１を扉２に内設した状態で接続穴に表出している。
【００２８】
錠側回路基板１４には、一対の相手側コネクタ１５，１６が実装されている。相手側コネクタ１５，１６は、錠箱１１の室内外両側面から露出し、両壁面２ｂ，２ｃの接続穴に表出している。図示は省略するが、相手側コネクタ１５，１６は、それぞれ、絶縁材料から成るハウジング内に金属材料から成る複数の端子を有している。
【００２９】
室外側ユニット４は、主要な外観を成す室外側ケース２０と、室外側ケース２０に内設される電装部材としてのリーダ２１と、デッドカム１２に連結されるシリンダ錠２２と、を含んで構成されている。
【００３０】
室外側ケース２０は、合成樹脂等の絶縁材料によって上下方向に細長い略矩形箱状に形成されている。リーダ２１は、例えば、非接触型のＩＣカード６に記憶された認証情報を読み取る読取部（図示せず）と、読み取った認証情報が予め記憶された特定の認証情報と合致するか否かを判別する室外側回路基板２３と、を含んで構成されている。なお、ＩＣカード６に代えて、キーヘッドやタグに認証情報を記憶してもよい。また、リーダ２１として、タッチキー、テンキーまたは指紋等の生体認証装置等を用いてもよい。
【００３１】
室外側回路基板２３には、室外側コネクタ２４が実装されている。図示は省略するが、室外側コネクタ２４は、固定ハウジングと、可動ハウジングと、両ハウジングに保持される複数の端子と、を有する所謂フローティングコネクタである。固定ハウジングおよび可動ハウジングは、樹脂等の絶縁性材料で形成され、各端子は、金属等の導電性材料で形成されている。固定ハウジングは、室外側回路基板２３に固定されている。可動ハウジングは、複数の端子を介して固定ハウジングに移動可能に支持されている。室外側コネクタ２４は、扉２の室外側壁面２ｂに表出する相手側コネクタ１５に対し、室外側壁面２ｂ側から嵌合して電気的に接続される。
【００３２】
シリンダ錠２２には、機械的キー（図示せず）が挿入される。シリンダ錠２２には、機械的キーの回動に連動して回動するテールピース２５が設けられている。シリンダ錠２２は、テールピース２５をデッドカム１２の室外側開口に嵌挿することによってデッドカム１２に連結されている。したがって、ユーザは、シリンダ錠２２に挿入した機械的キーを所定方向に回動させることで、デッドカム１２を介してデッドボルト１３を進退させることができる。つまり、ユーザは、室外から電気錠３の施解錠操作を行うことができる。
【００３３】
図１ないし図３に示すように、室内側ユニット５は、主要な外観を成す室内側ケース３０と、室内側ケース３０に内設される電装部材としての電源装置３１と、デッドカム１２に連結されるサムターン３２と、を含んで構成されている。
【００３４】
室内側ケース３０は、ケース本体３３に覆設されるアウターケース３４を含み、合成樹脂等の絶縁材料によって上下方向に細長い略矩形箱状に形成されている。
【００３５】
ケース本体３３は、電源装置３１が取り付けられる電源ベース３５と、電源ベース３５の下端部に設けられるベースカバー３６と、ベースカバー３６の内部に設けられるコネクタベース３７と、ベースカバー３６をコネクタベース３７に支持させるようにベースカバー３６に設けられる左右一対の係合部材３８と、を備えている。
【００３６】
電源ベース３５は、アウターケース３４の内側に嵌合するようにトレイ状に形成されている。なお、ベースカバー３６、コネクタベース３７および各係合部材３８の詳細な説明は後述する。
【００３７】
電源装置３１は、複数の電池４０を保持する電池ボックス４１と、電池ボックス４１（の電源端子）に電気的に接続される室内側コネクタ４２と、を含んで構成されている。
【００３８】
電池ボックス４１は、電源ベース３５の上下方向略中央部に固定されている。電池ボックス４１は、複数の円筒型の電池４０（乾電池）を収容可能に構成されている。電池ボックス４１の上下端部には、各電池４０の電極に接触する電源端子（図示せず）が設けられている。電池ボックス４１の各電源端子は、適正な電気回路を形成するように電気的に接続されている。
【００３９】
室内側コネクタ４２は、コネクタベース３７の上面に固定されている。室内側コネクタ４２は、上記した室外側コネクタ２４と同様であって、コネクタベース３７に固定される固定ハウジングに対して可動ハウジングを移動可能に設けた所謂フローティングコネクタで構成されている。室内側コネクタ４２は、扉２の室内側壁面２ｃに表出する相手側コネクタ１６に対し、室内側壁面２ｃ側から嵌合して電気的に接続される。
【００４０】
サムターン３２は、ベースカバー３６およびコネクタベース３７に回転可能に支持されている。サムターン３２には、室内側壁面２ｂから室外側壁面２ｃに向けて延び、接続対象としてデッドカム１２に接続される回転軸４３が設けられている。回転軸４３は、十字状断面を有している。サムターン３２は、回転軸４３をデッドカム１２の室内側開口に嵌挿することによってデッドカム１２に連結されている。したがって、ユーザは、サムターン３２を所定方向に回動させることで、デッドカム１２を介してデッドボルト１３を進退させることができる。つまり、ユーザは、室内から電気錠３の施解錠操作を行うことができる。
【００４１】
ここで、図１を参照して、各電装部材（電気錠３、リーダ２１、電源装置３１）の電気的な接続について説明する。
【００４２】
まず、作業者は、電気錠３を扉２の内部に取り付ける。次に、作業者は、室外側ユニット４の接続穴を覆うように扉２の室外側壁面２ｂに取り付ける。詳細には、作業者は、シリンダ錠２２から延びる左右一対の突起（図示せず）を、電気錠３の錠箱１１に形成された左右一対の貫通穴（図示せず）に挿通させる。また、シリンダ錠２２のテールピース２５をデッドカム１２に連結させる。さらに、各貫通穴を通る各突起をガイドにして、室外側コネクタ２４を電気錠３の相手側コネクタ１５に導通接続する。相手側コネクタ１５に対して室外側コネクタ２４の位置がずれている場合、室外側コネクタ２４の可動ハウジングが位置ずれを吸収するように移動するため、適切な導通接続が行われる。
【００４３】
次に、作業者は、室内側ユニット５の接続穴を覆うように扉２の室内側壁面２ｃに取り付ける。詳細には、作業者は、錠箱１１の貫通穴を挿通して室内側に延びる各突起を、コネクタベース３７に開口する左右一対の位置決め穴４５（図２および図３参照）に挿入する。また、サムターン３２の回転軸４３をデッドカム１２に連結させる。さらに、室内側コネクタ４２を電気錠３の相手側コネクタ１６に導通接続する。相手側コネクタ１６に対して室内側コネクタ４２の位置がずれている場合、室内側コネクタ４２の可動ハウジングが位置ずれを吸収するように移動するため、適切な導通接続が行われる。室内側コネクタ４２は、回転軸４３と接続対象としてのデッドカム１２の接続に伴って、前後方向（離接方向）に移動して相手側コネクタ１６に嵌合（接続）する。なお、前後方向が、室内側壁面２ｃに対する離接方向である。
【００４４】
そして、作業者は、ケース本体３３から室外側ケース２０に固定ネジ（図示せず）を螺合させる。これにより、室内側ユニット５（ケース本体３３）と室外側ユニット４とは、扉２を挟み込むように取り付けられる。また、各コネクタ１５，１６，２４，４２を介して、電源装置３１から錠側回路基板１４および室外側回路基板２３に電力が供給される。なお、ケース本体３３を室内側壁面２ｃに取り付けた後に、アウターケース３４がケース本体３３に覆設される。
【００４５】
ところで、相手側コネクタ１６と室内側コネクタ４２との接続作業の容易性および接続確認を考慮する場合、作業者は、各コネクタ１６，４２の位置を目視しながら、室内側ユニット５の取り付け作業を行うことが好ましい。ところが、各コネクタ１６，４２を目視しながら接続した場合、室内側壁面２ｃと室内側ケース３０との間に隙間が生じるという問題がある。
【００４６】
また、例えば、扉２が薄い場合、相手側コネクタ１６が相対的に室内側に位置するため、コネクタ１６，４２を接続した状態で室内側壁面２ｃと室内側ケース３０との間に隙間が生じる虞があった。一方、扉２が厚い場合、相手側コネクタ１６が相対的に室外側に位置するため、コネクタ１６，４２の適切な接続が行えず接触不良を起こす虞があった。
【００４７】
そこで、この電気錠システム１では、相手側コネクタ１６と室内側コネクタ４２との接続を容易且つ適切に行い、室内側壁面２ｂに対してベースカバー３６を適切に取り付けるためのカバー取付構造７を採用している。
【００４８】
図１、図３ないし図５を参照して、カバー取付構造７について説明する。ここで、図４は係合部材３８の変位を説明する斜視図であって、（Ａ）は係止位置Ｐ１に変位した状態を示し、（Ｂ）は非係止位置Ｐ２に変位した状態を示している。図５は係合部材３８の変位を説明する模式的な断面図であって、（Ａ）は係止位置Ｐ１に変位した状態を示し、（Ｂ）は非係止位置Ｐ２に変位した状態を示し、（Ｃ）は押圧位置Ｐ３に変位した状態を示している。なお、図４の矢印Ｆｒは、正面（前）を示すものとする。
【００４９】
既に説明したが、図３に示すように、カバー取付構造７は、室内側コネクタ４２と、室内側コネクタ４２を支持するように構成されるコネクタベース３７と、コネクタベース３７を覆うように設けられるベースカバー３６と、ベースカバー３６の両側面に設けられる左右一対の係合部材３８と、を備えている。また、カバー取付構造７は、各係合部材３８を室内側壁面２ｃに平行な方向（左右方向）に付勢するようにコネクタベース３７に設けられる付勢部材としての板バネ５０を備えている。
【００５０】
コネクタベース３７は、全体として略ブロック状に形成されている。コネクタベース３７の下部は、正面視で下方に凸となる円弧状に形成されている。室内側コネクタ４２は、コネクタベース３７の前面よりも前方に向けて突出するように、コネクタベース３７の上面に固定されている（図１参照）。
【００５１】
コネクタベース３７は、サムターン３２の回転軸４３を軸支するベース側軸受部５１と、板バネ５０を収容するバネ収容部５２と、を有している。
【００５２】
ベース側軸受部５１は、コネクタベース３７の略中央部において、前後方向に貫通して形成されている。ベース側軸受部５１の上側には、上記した位置決め穴４５が前後方向に貫通して形成されている。バネ収容部５２は、ベース側軸受部５１の下側において、正面視で略Ｕ字状の空間として形成されている。
【００５３】
図４に示すように、コネクタベース３７は、室内側壁面２ｃに対し直交する両側面に開口する左右一対の開口部５３と、各開口部５３から前後方向に延び、開口部５３よりも狭く形成される左右一対の溝部５４と、を有している。
【００５４】
各開口部５３は、側面視で略正方形状に形成されている。各開口部５３は、コネクタベース３７の側面の室内側（後側）に形成されている。各溝部５４の上下幅は、開口部５３の上下方向の長さの略半分に形成されている。各溝部５４は、開口部５３の前端部の上下方向中央部から前方に向けて切り込まれている。各溝部５４は、コネクタベース３７の前端面まで形成されている。各開口部５３および各溝部５４は、コネクタベース３７の側面からバネ収容部５２に貫通するように一体形成されている。なお、開口部５３および溝部５４は、それぞれ任意の大きさ・形状に形成して構わない。また、開口部５３から前方に形成した溝部５４に加えて、開口部５３から後方に向けて溝部５４を形成してもよい。
【００５５】
図１に示すように、ベースカバー３６は、電源ベース３５の下端部に一体形成されている。ベースカバー３６は、コネクタベース３７を背面側から覆うように中空箱状に形成されている。ベースカバー３６の厚さ（前後方向の長さ）は、コネクタベース３７の厚さの２倍以上に形成されている。ベースカバー３６の背面には、サムターン３２を軸支するカバー側軸受部５５が形成され、ベースカバー３６の背面側には、サムターン３２の摘み部３２ａが露出している。
【００５６】
図４および図５に示すように、各係合部材３８は、コネクタベース３７に係止されて前後方向への移動を規制される係止位置Ｐ１と、コネクタベース３７に対する係止が解除されて前後方向に移動可能となる非係止位置Ｐ２と、係止位置Ｐ１と非係止位置Ｐ２との間の押圧位置Ｐ３と、の間で変位可能に設けられている。
【００５７】
各係合部材３８は、板バネ５０に付勢されて係止位置Ｐ１に変位した場合に、開口部５３に嵌合して係止される嵌合部６０と、板バネ５０の付勢力に抗して非係止位置Ｐ２に変位した場合に、開口部５３から溝部５４に進入可能に形成される移動ピン６１と、ベースカバー３６の側面から露出し、外側から内側に向けて押圧操作される操作部６２と、を有している。
【００５８】
各係合部材３８は、操作部６２と嵌合部６０との間に移動ピン６１を配置して、合成樹脂等の絶縁材料によって一体形成されている。
【００５９】
嵌合部６０は、開口部５３に嵌合するように側面視で略正方形状に形成されている。移動ピン６１は、溝部５４に進入可能な四角柱形状に形成されている。移動ピン６１は、側面視で嵌合部６０の略中央から左右方向外側に向けて延設されている。操作部６２は、開口部５３に進入不能な外径を有する円柱形状に形成されている。操作部６２は、左右方向に摺動可能な状態でベースカバー３６の側面に支持されている。なお、嵌合部６０、移動ピン６１および操作部６２は、開口部５３および溝部５４の大きさ・形状に対応するように、それぞれ任意の大きさ・形状に形成して構わない。
【００６０】
図３に示すように、板バネ５０は、ステンレス等の単一の金属板材を曲げ加工して、正面視で略Ｕ字状に形成されている。板バネ５０は、左右一対の係合部材３８の嵌合部６０に当接するようにコネクタベース３７のバネ収容部５２に内設されている。板バネ５０の両端部は、左右方向外側に向けて突出するように三角形状に折り曲げ形成される当接端部６３を有している。左右一対の当接端部６３は、嵌合部６０に当接している。これにより、単一の板バネ５０は、左右一対の係合部材３８を外側に向けて付勢している。
【００６１】
次に、図１、図４および図５を参照して、カバー取付構造７の作用について説明する。なお、各係合部材３８の嵌合部６０は開口部５３に嵌合した状態であるものとする。
【００６２】
既に説明したように、作業者は、室内側ユニット５を扉２の室内側壁面２ｃに取り付ける。各嵌合部６０が開口部５３に嵌合した状態では、電源ベース３５およびベースカバー３６の前端面は、コネクタベース３７の前端面よりも僅かに後側に位置している（図１参照）。すなわち、嵌合部６０が開口部５３に嵌合した状態で、ベースカバー３６が室内側壁面２ｃに接触する前に、室内側コネクタ４２が相手側コネクタ１６に接続可能になっている。
【００６３】
また、板バネ５０によって付勢された各嵌合部６０は開口部５３に嵌合して係止されている（図４（Ａ）および図５（Ａ）参照）。このため、室内側コネクタ４２に対するベースカバー３６の前後方向の位置が強固に保持されている。このため、作業者は、ベースカバー３６（電源ベース３５）を把持し、相互のコネクタ１６，４２の位置を目視しつつ接続作業を安定して行うことができる。
【００６４】
また、デッドカム１２に対する回転軸４３の接続方向と、相互のコネクタ１６，４２間の接続方向（嵌合方向）とが一致しているため、両接続作業を、一連の動作で容易に行うことができる。また、回転軸４３を室内側コネクタ４２よりも室内側壁面２ｃ側に突出させる場合、デッドカム１２に対する回転軸４３の接続にガイドされて、コネクタ１６，４２の接続が行われる。これにより、更に簡単且つ迅速に室内側コネクタ４２の接続作業を行うことができる。
【００６５】
相手側コネクタ１６と室内側コネクタ４２とを導通接続した状態では、電源ベース３５およびベースカバー３６の前端面は、室内側壁面２ｃから離れている。すなわち、室内側壁面２ｃと室内側ケース３０との間に隙間が生じている。
【００６６】
次に、作業者は、左右一対の係合部材３８の操作部６２を指で内側に押し込む。これにより、各係合部材３８は、板バネ５０の付勢力に抗して係止位置Ｐ１から非係止位置Ｐ２に変位する（図４（Ｂ）および図５（Ｂ）参照）。すなわち、開口部５３に嵌合した嵌合部６０が内側に移動し、移動ピン６１が溝部５４に進入可能な状態となる。
【００６７】
次に、各係合部材３８を押し込んだ状態で、作業者は、電源ベース３５およびベースカバー３６を室内側壁面２ｃに当接するまで移動させる。このとき、各移動ピン６１が溝部５４に沿って前方に移動する。つまり、溝部５４および移動ピン６１は、コネクタベース３７に対するベースカバー３６の前後方向への移動を案内するガイド手段として機能する。
【００６８】
作業者は、電源ベース３５およびベースカバー３６の前端面を室内側壁面２ｃに当接させた後、左右一対の係合部材３８の操作部６２から指を離す。これにより、各係合部材３８は、板バネ５０によって外側に付勢され、非係止位置Ｐ２から押圧位置Ｐ３に変位する（図５（Ｃ）参照）。各係合部材３８の嵌合部６０は、板バネ５０に付勢されて押圧位置Ｐ３に変位したときに、溝部５４の縁部に押し付けられ、前後方向への移動を規制される。
【００６９】
以上によって、室内側壁面２ｃと室内側ケース３０との間に隙間を生じさせることなく、室内側ユニット５を取り付けることができる（図１参照）。
【００７０】
次に、電気錠システム１の解錠動作について簡単に説明する。室外側から入室しようとする者（ユーザ）は、ＩＣカード６をリーダ２１の読取部にかざす。読取部は、ＩＣカード６の認証情報を読み取り、室外側回路基板２３は、読み取った認証情報と特定の認証情報とを比較、判別する。この結果、各認証情報が合致すると判別された場合、室外側回路基板２３から電気錠３の錠側回路基板１４に解錠信号が出力され、電気錠３が解錠される。一方、合致せずと判別された場合には、室外側回路基板２３からの解錠信号が送信されず、電気錠３の解錠は行われない。
【００７１】
以上説明した第１実施形態に係るカバー取付構造７によれば、ベースカバー３６（および電源ベース３５）は、各係合部材３８を介してコネクタベース３７に支持されている。また、ベースカバー３６は、各係合部材３８を非係止位置Ｐ２に移動させることで、コネクタベース３７に対して前後方向に移動可能となる。例えば、コネクタベース３７に対してベースカバー３６を室内側壁面２ｃから退避させることで、作業者は、室内側コネクタ４２および相手側コネクタ１６の位置を目視しながら接続作業を行うことができる。これにより、室内側コネクタ４２の接続作業を容易且つ適切に行うことができる。また、例えば、当該接続作業の後に、ベースカバー３６を室内側壁面２ｃに当接するように移動させることで、ベースカバー３６と室内側壁面２ｃとの間において隙間の発生を防止することができる。これにより、扉２の厚さに関わらず、扉２の室内側壁面２ｃに対してベースカバー３６を適切な位置に設けることができる。
【００７２】
また、第１実施形態に係るカバー取付構造７によれば、各係合部材３８の嵌合部６０は、押圧位置Ｐ３に移動した状態で溝部５４の縁部に押し付けられる。このため、各係合部材３８を溝部５４の任意の位置に維持することができる。これにより、コネクタベース３７に対してベースカバー３６を前後方向で任意の位置に保持することができ、扉２の室内側壁面２ｃとベースカバー３６との間に隙間が生じないようにベースカバー３６の位置を調整することができる。
【００７３】
また、第１実施形態に係るカバー取付構造７によれば、作業者は、ベースカバー３６を把持すると同時に一対の係合部材３８を押圧操作することができる。これにより、作業者は、前後方向におけるベースカバー３６の位置調整を直感的に行うことができる。また、単一の板バネ５０によって一対の係合部材３８を付勢するため、係合部材３８ごとにバネを設ける場合に比して、簡素な構成にすることができる。なお、単一の板バネ５０に代えて、各係合部材３８を個別に付勢する付勢部材を設けてもよい。また、板バネ５０に代えて、コイルスプリングやゴム等から成る弾性部材を用いてもよい。
【００７４】
なお、図６に示すように、第１実施形態に係るカバー取付構造７は、扉２の木口２ａに対して進退可能なラッチボルト７１を有するラッチ錠７０と、ラッチボルト７１を進退操作するための一対のレバーハンドル７２（図６では室内側のみ図示）と、を更に備えていてもよい。詳細な説明は省略するが、各レバーハンドル７２は、回転軸を介して扉２の両壁面２ｂ，２ｃに回動可能に取り付けられている。ラッチボルト７１は、レバーハンドル７２を回動させることで、木口２ａからの退避が規制された状態から退避可能な状態になる。
【００７５】
なお、第１実施形態に係るカバー取付構造７の室内側コネクタ４２は、室内側ユニット５の電源装置３１に設けられていたが、本発明はこれに限定されない。室内側コネクタ４２は、任意の電装部材の電気的な接続に用いられるものであればよく、例えば、入退室管理のためのリーダ、各種センサ、電源装置、テンキー等の制御基板に設けられたコネクタであってもよい。
【００７６】
なお、第１実施形態に係るカバー取付構造７の室内側コネクタ４２は、扉２に内設された電気錠３の相手側コネクタ１６に導通接続していたが、本発明はこれに限定されない。例えば、室内側コネクタ４２は、室外側壁面２ｂに設けられた電装部材（リーダ２１等）が備える相手側コネクタに導通接続してもよい。
【００７７】
なお、第１実施形態に係るカバー取付構造７を室外側ユニット４（室外側ケース２０）に適用してもよい。
【００７８】
なお、第１実施形態に係るカバー取付構造７では、左右一対の係合部材３８を備えていたが、本発明はこれに限定されない。係合部材３８の配設数は任意であり、１つ以上設けられていればよい。また、係合部材３８の配設位置も任意である。
【００７９】
なお、第１実施形態に係るカバー取付構造７では、係合部材３８を外側から内側に押し込んでいたが、本発明はこれに限定されない。例えば、係合部材３８を内側から外側に引っ張るように構成してもよい。この場合、板バネ等の付勢部材は、係合部材３８を外側から内側に向けて付勢するように設ける。また、板バネ５０を省略して、係合部材３８を手動で変位させてもよい。
【００８０】
（第２実施形態）
次に、図７を参照して、第２実施形態に係るカバー取付構造８について簡単に説明する。図７はカバー取付構造８の係合部材８０を模式的に示す断面図である。なお、上記した第１実施形態に係るカバー取付構造７と同様の構成については、同一の符号を付し、説明を省略する。
【００８１】
第１実施形態に係るカバー取付構造７の各係合部材３８は、ベースカバー３６とは別個の部材でボタン状に形成されていたが、第２実施形態に係るカバー取付構造８では、各係合部材８０は、ベースカバー３６と一体形成されている。
【００８２】
各係合部材８０は、操作部６２を省略し、ベースカバー３６の内側面から内側に向けて延びる移動ピン６１の先端部に嵌合部６０を有している。ベースカバー３６は、可撓性（弾力性）を有する樹脂材料で構成されている。
【００８３】
作業者は、ベースカバー３６の各係合部材８０の形成部分を押圧することで、室内側壁面２ｃと室内側ケース３０との間に隙間を生じさせることなく、室内側ユニット５を取り付けることができる。なお、カバー取付構造８の作用・効果の説明は、第１実施形態に係るカバー取付構造７と同様であるため、省略する。
【００８４】
（第３実施形態）
次に、図８および図９を参照して、第３実施形態に係るカバー取付構造９について簡単に説明する。図８はカバー取付構造９のガイド手段であって、（Ａ）はガイド軸９０およびガイド凹部９１を示す断面図であり、（Ｂ）はガイド穴部９２を示す断面図である。図９はカバー取付構造９のガイド溝９３および突起９４を示す断面図である。なお、上記した第１実施形態に係るカバー取付構造７と同様の構成については、同一の符号を付し、説明を省略する。
【００８５】
第１実施形態に係るカバー取付構造７では、溝部５４および移動ピン６１がガイド手段として機能していたが、第２実施形態に係るカバー取付構造９では、これに加えて、コネクタベース３７に対するベースカバー３６の前後方向への移動を案内するガイド手段を備えている。
【００８６】
具体的には、図８（Ａ）に示すように、カバー取付構造９は、ガイド手段としてのガイド軸９０とガイド凹部９１とを備えている。ガイド軸９０は、コネクタベース３７の後面から後方に向けて突設されている。ガイド凹部９１は、ベースカバー３６の内側前面に形成されている。ガイド軸９０は、ガイド凹部９１に前後方向に摺動可能に嵌合している。ガイド軸９０がガイド凹部９１に案内されることによって、ベースカバー３６は、前後方向に移動可能となる。
【００８７】
なお、図示は省略するが、ガイド軸９０がベースカバー３６の内側前面に突設され、ガイド凹部９１がコネクタベース３７の後面に形成されていてもよい。なお、ガイド軸９０およびガイド凹部９１の位置および配設数は任意である。
【００８８】
また、ガイド手段の変形例として、図８（Ｂ）に示すように、ベースカバー３６およびコネクタベース３７にそれぞれガイド穴部９２が形成されていてもよい。各ガイド穴部９２には、例えば、サムターン３２の回転軸４３（またはレバーハンドル７２のレバー軸（図示せず））が挿通する。これにより、ベースカバー３６は、回転軸４３等を案内として前後方向に移動することができる。
【００８９】
また、ガイド手段の他の変形例として、図９に示すように、前後方向に延びるガイド溝９３をベースカバー３６の左右両側面に形成し、ガイド溝９３に係合する突起９４をコネクタベース３７の左右両側面に形成してもよい。なお、ガイド溝９３がコネクタベース３７に形成され、突起９４がベースカバー３６に形成されていてもよい。なお、ガイド溝９３および突起９４の位置および配設数は任意である。
【００９０】
以上説明した第３実施形態に係るカバー取付構造９によれば、溝部５４および移動ピン６１のガイド機能に加えて、ベースカバー３６の移動を案内するための各部材９０〜９４を有しているため、作業者は、安定した状態で、ベースカバー３６の移動作業を円滑に行うことができる。例えば、係合部材３８が１つのみ設けられていた場合であっても、前後方向への安定した移動を担保することができる。なお、ベースカバー３６の移動を案内するための各部材９０〜９４を有している場合には、溝部５４および移動ピン６１のガイド機能を省略してもよい。なお、第３実施形態に係るカバー取付構造９（ガイド手段）を第２実施形態に係るカバー取付構造８に適用してもよい。
【００９１】
なお、上記した本発明の実施形態の説明は、本発明に係るカバー取付構造７，８，９における好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の実施形態における構成要素は適宜、既存の構成要素等との置き換えが可能であり、かつ、他の既存の構成要素との組合せを含む様々なバリエーションが可能であり、上記した本発明の実施形態の記載をもって、特許請求の範囲に記載された発明の内容を限定するものではない。
【符号の説明】
【００９２】
２  扉
２ｂ  室外側壁面（一方の壁面）
２ｃ  室内側壁面（他方の壁面）
３  電気錠（電装部材）
７，８，９  カバー取付構造
１２  デッドカム（接続対象）
１６  相手側コネクタ
３６  ベースカバー（カバー）
３７  コネクタベース
３８，８０  係合部材
４２  室内側コネクタ（コネクタ）
４３  回転軸
５０  板バネ（付勢部材）
５３  開口部
５４  溝部
６０  嵌合部
６１  移動ピン
６２  操作部
９０  ガイド軸（ガイド手段）
９１  ガイド凹部（ガイド手段）
９２  ガイド穴部（ガイド手段）
９３  ガイド溝（ガイド手段）
９４  突起（ガイド手段）
Ｐ１  係止位置
Ｐ２  非係止位置
Ｐ３  押圧位置
【図１】
2015121038.tif 000003
【図２】
2015121038.tif 000004
【図３】
2015121038.tif 000005
【図４】
2015121038.tif 000006
【図５】
2015121038.tif 000007
【図６】
2015121038.tif 000008
【図７】
2015121038.tif 000009
【図８】
2015121038.tif 000010
【図９】
2015121038.tif 000011